(57)【要約】【課題】規格外のダイヤルトーンを送出する環境下で、発呼前にダイヤルトーン検知した場合、ユーザは、多くの時間を費やすことがなく、発呼とファクシミリ送信とを実行することができる通信装置およびその制御方法を提供することを目的とするものである。【解決手段】発呼前にダイヤルトーンを検知し、検知しなければ、発呼しない発呼前ダイヤルトーン検知機能をもち、また、ユーザスイッチによって、上記発呼前ダイヤルトーン検知機能を、ユーザが変更できる通信装置において、上記発呼前ダイヤルトーン検知機能が有効であることを検出する検出手段と、上記発呼前ダイヤルトーン検知機能が有効である状態で、発呼前にダイヤルトーンを検知できないと、上記発呼前ダイヤルトーン検知機能をＯＦＦするＯＦＦ手段とを有することを特徴とする通信装置である。【選択図】図２
2007174319.tif 000002
【特許請求の範囲】
【請求項１】
発呼前にダイヤルトーンを検知し、検知しなければ、発呼しない発呼前ダイヤルトーン検知機能をもち、また、ユーザスイッチによって、上記発呼前ダイヤルトーン検知機能を、ユーザが変更できる通信装置において、
上記発呼前ダイヤルトーン検知機能が有効であることを検出する検出手段と；
上記発呼前ダイヤルトーン検知機能が有効である状態で、発呼前にダイヤルトーンを検知できないと、上記発呼前ダイヤルトーン検知機能をＯＦＦするＯＦＦ手段と；
を有することを特徴とする通信装置。
【請求項２】
発呼前にダイヤルトーンを検知し、検知しなければ、発呼しない発呼前ダイヤルトーン検知機能をもち、また、ユーザスイッチによって、上記発呼前ダイヤルトーン検知機能を、ユーザが変更できる通信装置において、
調整モード時、または、電源立ち上げ時に、リレーを切り替え、回線を捕捉する回線捕捉手段と；
ダイヤルトーンを検知できるか否かを判断する判断手段と；
上記ダイヤルトーンを検知しなければ、上記発呼前ダイヤルトーン検知機能を無効に設定する無効設定手段と；
を有することを特徴とする通信装置。
【請求項３】
発呼前にダイヤルトーンを検知し、検知しなければ、発呼しない発呼前ダイヤルトーン検知機能をもち、また、ユーザスイッチによって、上記発呼前ダイヤルトーン検知機能を、ユーザが変更できる通信装置の制御方法において、
上記発呼前ダイヤルトーン検知機能が有効であることを検出する検出工程と；
上記発呼前ダイヤルトーン検知機能が有効である状態で、発呼前にダイヤルトーンを検知できないと、上記発呼前ダイヤルトーン検知機能をＯＦＦするＯＦＦ工程と；
を有することを特徴とする通信装置の制御方法。
【請求項４】
発呼前にダイヤルトーンを検知し、検知しなければ、発呼しない発呼前ダイヤルトーン検知機能をもち、また、ユーザスイッチによって、上記発呼前ダイヤルトーン検知機能を、ユーザが変更できる通信装置の制御方法において、
調整モード時、または、電源立ち上げ時に、リレーを切り替え、回線を捕捉する回線捕捉工程と；
ダイヤルトーンを検知できるか否かを判断する判断工程と；
上記ダイヤルトーンを検知しなければ、上記発呼前ダイヤルトーン検知機能を無効に設定する設定工程と；
を有することを特徴とする通信装置の制御方法。
【発明の詳細な説明】
【技術分野】
【０００１】
本発明は、通信端末装置に関し、詳しくは、回線から送られたトーン信号を確認し、各種通信制御を実行する通信端末装置およびその制御方法に関する。
【背景技術】
【０００２】
従来のファクシミリ装置において、ダイヤルトーンの周波数、ビジートーンの周波数、それぞれの信号のオン／オフ時間に基づいて、その回線がどこの国であるかを解析する。そして、解析した国に応じて、設定を書き換える装置が知られている（たとえば、特許文献１、特許文献２参照）。
【０００３】
また、近年、ＡＤＳＬモデム等の出現によって、従来の通信環境では存在しなかった、規格外の回線環境が生まれている。このために、規格外のダイヤルトーンが送られてくる場合がある。
【０００４】
このようなモデムは、ＡＤＳＬ回線の爆発的な普及によって、今や多くの家庭で使われ、規定外であるからと言って、ファクシミリメーカも無視できない状況にある。実際、ＡＤＳＬモデムが一般のＮＴＴ回線とは異なる信号であって、規定外の信号を出すことが原因であったとしても、ファクシミリメーカ側が、それに対応する修正を加えるというケースがある。さらには、今後もＡＤＳＬモデム等の普及が予想され、このような問題が多く出ることが予想される。
【０００５】
また、従来、発着呼の衝突を防止するために、発呼前のダイヤルトーン検知が有効であることが知られている（たとえば、特許文献３参照）。この特許文献３の請求項１に記載されているように、発着呼の衝突を防止するためには、発呼前にダイヤルトーンを検知することができた場合にのみ、発呼、送信に移行するものであり、できない場合は、発呼を中止する。この機能を、「発呼前ダイヤルトーン検知機能」といい、発呼前ダイヤルトーン検知機能を使用するか否かを、ユーザスイッチ等で変更ができることが、国内では一般的である。また、国内の初期設定では、上記発呼前ダイヤルトーン検知機能が有効であるように設定にされていることが一般的である。
【０００６】
このために、発呼前ダイヤルトーンを正しく検知できなければ、送信、発呼をすることができない。規格外のダイヤルトーンを送出する環境下では、発呼前のダイヤルトーン検知を行った場合、常にダイヤルトーンを検知できない。この場合には、ユーザがユーザスイッチで発呼前ダイヤルトーン検知機能を行わない設定に切り替えない限り、永遠に、発呼と、ファクシミリ送信とができない。
【特許文献１】特開平１１−１５５０５４号公報
【特許文献２】特開２００２−２３２５１９号公報
【特許文献３】特開２００３−２７４０３５号公報
【発明の開示】
【発明が解決しようとする課題】
【０００７】
しかし、このようにした場合、自らの環境のダイヤルトーンが規定外のものであり、それが原因で発呼、ファクシミリ送信ができないということに、ユーザが気付くことは不可能であると言ってもよい程である。
【０００８】
したがって、このような状況が発生した場合、ユーザは、多くの時間を費やし、取り扱い説明書を読むか、または、サポートセンタに問い合わせ、解決しなければならず、不便であるという問題がある。
【０００９】
本発明は、規格外のダイヤルトーンを送出する環境下で、発呼前にダイヤルトーン検知した場合、ユーザは、多くの時間を費やすことがなく、発呼とファクシミリ送信とを実行することができる通信装置およびその制御方法を提供することを目的とするものである。
【００１０】
また、本発明は、規格外のダイヤルトーンを送出する環境下で、発呼前にダイヤルトーン検知した場合、取り扱い説明書を読む必要がなく、発呼とファクシミリ送信とを実行することができる通信装置およびその制御方法を提供することを目的とするものである。
【００１１】
また、本発明は、規格外のダイヤルトーンを送出する環境下で、発呼前にダイヤルトーン検知した場合、サポートセンタに問い合わさずに、発呼とファクシミリ送信とを実行することができる通信装置およびその制御方法を提供することを目的とするものである。
【課題を解決するための手段】
【００１２】
本発明は、発呼前にダイヤルトーンを検知し、検知しなければ、発呼しない発呼前ダイヤルトーン検知機能をもち、また、ユーザスイッチによって、上記発呼前ダイヤルトーン検知機能を、ユーザが変更できる通信装置において、上記発呼前ダイヤルトーン検知機能が有効であることを検出する検出手段と、上記発呼前ダイヤルトーン検知機能が有効である状態で、発呼前にダイヤルトーンを検知できないと、上記発呼前ダイヤルトーン検知機能をＯＦＦするＯＦＦ手段とを有することを特徴とする通信装置である。
【発明の効果】
【００１３】
本発明によれば、規格外のダイヤルトーンを送出する環境下で、発呼前にダイヤルトーン検知した場合、ユーザは、多くの時間を費やすことがなく、取り扱い説明書を読まずに、サポートセンタに問い合わせずに、発呼とファクシミリ送信とを実行できる。
【発明を実施するための最良の形態】
【００１４】
発明を実施するための最良の形態は、次の実施例である。
【実施例１】
【００１５】
図１は、本発明の実施例１である通信装置１００を示すブロック図である。
【００１６】
通信装置１００は、ファクシミリ装置であり、ＮＣＵ１と、ＭＯＤＥＭ２と、ＲＯＭ３と、ＲＡＭ４と、画像メモリ５と、ＭＰＵ６と、表示部７と、操作部８と、スキャナ部９と、ＣＯＤＥＣ１０と、プリンタ１１と、バス１２とを有する。
【００１７】
ＮＣＵ１は、電話回線との接続を制御するとともに、相手先の電話番号に対応するダイヤル信号の送出と着信とを検出する機能を備えている。また、ダイヤルトーンやＣＮＧの検地機能も備えている。
【００１８】
ＭＯＤＥＭ２は、ＩＴＵ−Ｔ勧告Ｔ．３０に従ったファクシミリ伝送制御に基づいて、Ｖ１７、Ｖ２７ｔｅｒ、Ｖ２９等に従った、送受信データの変調と復調とを行う。
【００１９】
ＲＯＭ３は、通信装置１００の全体の制御プログラムを記憶する。ＲＡＭ４は、通信装置１００の各種情報を一時的に記憶する。画像メモリ５は、受信画像データやスキャナ９で読み取られた画像データを、一時的に記憶する。
【００２０】
ＭＰＵ６は、ＲＯＭ３に記憶されているプログラムに従って、通信装置１００の全体を制御する。表示部７は、通信装置１００の動作状態、通信装置１００の設定状態等、各種情報を表示する。操作部８は、テンキー、ワンタッチキー、スタートキー、モード切替キー、その他のキーによって構成されている。
【００２１】
スキャナ部９は、ＦＡＸ通信、コピーするときに、原稿の画データを読み取り、画像メモリ５に格納する。ＣＯＤＥＣ１０は、読み取った原稿の画データを送信するために、ＭＨ、ＭＲ、ＭＭＲ、ＪＰＥＧ方式等によって符号化し、受信データを復号化する。
【００２２】
プリンタ１１は、受信画データや、コピー動作において、スキャナ９が読み取った原稿の画データを、記録紙上に記録する。
【００２３】
もっとも、ここに示す通信装置１００としてのファクシミリ装置自体は、特に新規なものではなく、各回路構成自体は、既によく知られたものである。
【００２４】
通信装置１００の新規な特徴事項は、後述するように、発呼の衝突を防ぐ機能であり、上記発呼前ダイヤルトーン検知機能の有効、無効を、自動で設定する処理方法である。
【００２５】
次に、通信装置１００の動作について説明する。
【００２６】
図２は、通信装置１００の動作を示すフローチャートである。
【００２７】
動作が開始すると、Ｓ１では、ファクシミリ送信要求、または発呼要求の有無を判定する。要求があれば、Ｓ２へ進み、回線捕捉し、つまり回線閉結を行う。
【００２８】
Ｓ３で、操作部８における操作によって、上記発呼前ダイヤルトーン検知機能の有効、無効を選択することができ、上記ダイヤルトーン検知機能（発呼前ＤＴ検知機能）の設定が有効であるか否かを判定する。国内では、通常、デフォルト有効である。
【００２９】
発呼前ダイヤルトーン検知機能の設定が有効であれば、Ｓ４へ進み、上記発呼前ダイヤルトーン検知機能処理を行う。
【００３０】
また、発呼前ダイヤルトーン検知機能の設定が無効であれば、Ｓ７へ進み、ファクシミリ送信フローへ移行する。
【００３１】
Ｓ４では、ダイヤルトーン（ＤＴ）を検知したか否かを判定する。この検知方法は、数秒間連続でダイヤルトーンが来たら、ダイヤルトーンを検知したと判断する等の制御を用い、これによって、検知精度を上げることができ、望ましい。Ｓ４のダイヤルトーン検知機能によって、ダイヤルトーンを検知することができれば、Ｓ７へ進み、ファクシミリ送信動作へ移行する。
【００３２】
ダイヤルトーンを検知できなければ、Ｓ５で、ファクシミリ送信と発呼とを中止する。その後に、Ｓ６で、発呼前ダイヤルトーン検知機能を無効にする。ダイヤルトーン信号が正常に来ないのか、または、発着呼の衝突によるものかを、区別するために、Ｓ２〜Ｓ４の処理を複数回、実行する。それでも、ダイヤルトーンを検知することができなければ、Ｓ５、Ｓ６へ進む方法を採用するようにしてもよく、この方法は有効である。発着呼の衝突が連続して複数回発生する確率は、非常に低いので、上記方法は、精度の高いシステムを提供することができる。
【００３３】
Ｓ６で、上記発呼前ダイヤルトーン検知機能を無効にすると、次回の送信からは、ダイヤルトーンの検知を行わずに、ファクシミリ送信、発呼を実行することができる。したがって、実施例１では、規格外のダイヤルトーン信号を受信する環境におかれているユーザも、ファクシミリ送信、発呼を、確実に実行することができる。
【実施例２】
【００３４】
次に、本発明の実施例２について説明する。
【００３５】
実施例２の構成は、実施例１の構成と同様である。
【００３６】
なお、実施例１は、発呼する前に、ユーザがＳＷでＤＴ検知機能のＯＮ／ＯＦＦを設定し、この設定でＯＮが設定され、発呼前にＤＴを検知できなければ、発呼前ＤＴ検知機能を、自動的にＯＦＦにする装置である。
【００３７】
これに対して、実施例２は、発呼前ＤＴ検知機能を、自動的にＯＮ／ＯＦＦにする機能を有する装置である。つまり、実施例２は、ユーザが選択または機械が自動的に行う調整モード時、または、機械を初期化するハード電源立ち上げ時のみに、リレーを切り替え、回線を捕捉する装置である。
【００３８】
次に、実施例２の動作について説明する。
【００３９】
図３は、実施例２における通信動作を示すフローチャートである。
【００４０】
実施例２において、通信装置１００の動作が開始すると、Ｓ１１で、回線捕捉、つまり回線閉結を行い、Ｓ１２で、ダイヤルトーン（ＤＴ）を検知したか否かを判定する。
【００４１】
ダイヤルトーンを検知する場合、数秒間連続で、ダイヤルトーンが来たら、ダイヤルトーンを検知したと判断する等の制御をすることによって、ダイヤルトーンの検知精度を上げることができ、このようにすることが望ましい。Ｓ１２で、ダイヤルトーン検知機能によって、ダイヤルトーンを検知することができれば、Ｓ１４へ進み、上記発呼前ダイヤルトーン検知機能を有効にする。
【００４２】
ダイヤルトーンを検知できなければ、Ｓ１３へ進み、上記発呼前ダイヤルトーン検知機能を無効にする。
【００４３】
ダイヤルトーン信号が正常に来ないのか、または発着呼の衝突によるものかを区別するために、Ｓ１１、Ｓ１２の処理を複数回、実行し、それでもダイヤルトーンを検知できなければ、Ｓ１３またはＳ１４へ進むようにしてもよい。このように処理すると、精度の高いシステムを提供することができる。すなわち、発着呼の衝突が連続で複数回発生する確率は、非常に低いので、上記のようにすると、精度の高いシステムを提供することができる。
【００４４】
なお、実施例１は、発呼前ダイヤルトーン検知機能（ＤＴ検知機能）が有効である時に毎回行われる制御である（ＯＦＦになったら実行しない）。これに対して、実施例２は、ある特定の時にのみ実行することを想定している。本願明細書では、上記特定の時を、「調整モード時」、「電源立ち上げ時」と表現した。
【００４５】
上記特定のときに実行する理由は、次のとおりである。つまり、第１の理由は、毎回実行する必要はないことが多いからである。すなわち、普通、一度購入したら、引越しでもしない限り、回線状況が変わることが無い。本発明の目的は規格外のＤＴが送られている場合に、発呼前ＤＴ検知機能をＯＦＦすることであるので、毎回実行する必要がない。
【００４６】
第２の理由は、純粋にＤＴのみを評価できるタイミングで行いたいからである。すなわち、実施例１では、ＤＴを検知することができないときに、無条件で発呼前ＤＴ検知機能がＯＦＦになる。たとえば、回線ケーブルが外れた場合、衝突が発生した場合でも、ＤＴ検知機能がＯＦＦになり、次回からＤＴ検知しなくなる。あくまでも、正常なＤＴを受信できない環境のユーザを救うことが目的であるので、これは望ましくない。この解決方法として、ユーザの環境のＤＴを確実に評価できるタイミングで、ＤＴを検知できるようにすればよい。
【００４７】
このタイミングは、様々考えられる。実施例２において、上記タイミングは、「調整モード時」と「電源立ち上げ時」とである。
【００４８】
なお、上記実施例１、２において、通信装置１００は、ファクシミリ装置であるが、ファクシミリ装置以外の装置に、上記実施例を適用するようにしてもよい。
【図面の簡単な説明】
【００４９】
【図１】本発明の実施例１である通信装置１００を示すブロック図である。
【図２】通信装置１００の動作を示すフローチャートである。
【図３】実施例２における通信動作を示すフローチャートである。
【符号の説明】
【００５０】
１００…通信装置、
３…ＲＯＭ、
４…ＲＡＭ、
５…画像メモリ、
６…ＭＰＵ、
７…表示部、
８…操作部、
９…スキャナ、
１１…プリンタ。
【図１】
2007174319.tif 000003
【図２】
2007174319.tif 000004
【図３】
2007174319.tif 000005